(57)【特許請求の範囲】
【請求項１】
器具本体と、前記器具本体に着脱可能に取り付けられる光源ユニットとを備え、
前記器具本体は、金属板で構成されるベースと、前記ベースに設けられる引掛部及び保持部とを有し、
前記光源ユニットは、金属製のユニット本体と、前記ユニット本体の一方の端部から突出する引掛片と、前記ユニット本体の他方の端部に設けられて前記保持部に保持される保持体とを有し、
前記引掛部は、金属製の下地材の表面に塗膜が形成され、かつ、前記引掛片の先端が引っ掛けられるように構成され、
前記引掛片の先端に突起が設けられ、
前記突起は、前記引掛片における前記突起を除く部位よりも鋭利であり、
前記光源ユニットは、前記引掛部に接触する前記突起の先端を支点として回転させられることにより、前記保持体を前記保持部に保持させるように構成されることを特徴とする照明器具。
【請求項２】
前記突起は、前記引掛片を構成する金属板が打ち抜き加工されて構成されることを特徴とする請求項１記載の照明器具。
【請求項３】
前記引掛片は、複数の前記突起が前記先端に設けられることを特徴とする請求項１又は２記載の照明器具。
【発明の詳細な説明】
【技術分野】
【０００１】
本発明は、照明器具に関し、より詳細には、器具本体と、器具本体に対して着脱可能に取り付けられる光源ユニットとを有する照明器具に関する。
【背景技術】
【０００２】
従来例として、特許文献１記載の照明器具を例示する。特許文献１記載の照明器具は、いわゆるシステム天井に埋込配設される照明器具である。この照明器具は、光源収納枠を有する本体と、光源収納枠の内側に設けられ、基板と基板上に搭載された発光素子とを有する光源モジュールと、光源モジュールに取り付けられた取付具とを備える。取付具は、保持位置と解除位置との間を移動自在な係止部を有する。係止部は、光源モジュールの端部から突出するように設けられる。保持位置における係止部は、光源収納枠に係止して光源モジュールを本体に対して保持させる。一方、解除位置における係止部は、光源収納枠との係止を解除して光源モジュールを本体に対して離脱可能にする。
【先行技術文献】
【特許文献】
【０００３】
【特許文献１】特開２０１３−１７９００３号公報
【発明の概要】
【発明が解決しようとする課題】
【０００４】
ところで、特許文献１記載の照明器具は、本体を電気的に接地するために光源モジュールと本体とを電気的に接続（導通）する構成について、何ら開示していない。例えば、光源モジュールに含まれる導電部材（放熱板）と、本体とが電線で電気的に接続される場合、設置時の作業において、光源モジュールを本体に取り付けた後に光源モジュールと本体を電線で接続しなければならない。
【０００５】
本発明は、上記課題に鑑みてなされており、作業性の向上を図ることを目的とする。
【課題を解決するための手段】
【０００６】
本発明の照明器具は、器具本体と、前記器具本体に着脱可能に取り付けられる光源ユニットとを備え、前記器具本体は、金属板で構成されるベースと、前記ベースに設けられる引掛部及び保持部とを有し、前記光源ユニットは、金属製のユニット本体と、前記ユニット本体の一方の端部から突出する引掛片と、前記ユニット本体の他方の端部に設けられて前記保持部に保持される保持体とを有し、前記引掛部は、金属製の下地材の表面に塗膜が形成され、かつ、前記引掛片の先端が引っ掛けられるように構成され、前記引掛片の先端に突起が設けられ、前記突起は、前記引掛片における前記突起を除く部位よりも鋭利であり、前記光源ユニットは、前記引掛部に接触する前記突起の先端を支点として回転させられることにより、前記保持体を前記保持部に保持させるように構成されることを特徴とする。
【発明の効果】
【０００７】
本発明の照明器具は、作業性の向上を図ることができるという効果がある。
【図面の簡単な説明】
【０００８】
【図１】本実施形態に係る照明器具を示し、システム天井に埋込配設された状態の分解斜視図である。
【図２】同上における器具本体を示し、図２Ａは正面図、図２Ｂは左側面図、図２Ｃは平面図である。
【図３】同上における光源ユニットの一部破断した正面図である。
【図４】同上における光源ユニットを示し、図４Ａは平面図、図４Ｂは側面図である。
【図５】同上における光源ユニットの長手方向から見た側面図である。
【図６】同上における光源ユニットの長手方向から見た別の一部破断した側面図である。
【図７】図７Ａは同上の器具本体への光源ユニットの取付途中の状態を示す、一部破断した側面図、図７Ｂは同上の器具本体に光源ユニットを取り付けた状態を示す、一部破断した側面図である。
【図８】同上の器具本体への光源ユニットの取付途中の状態の要部を示す、一部破断した側面図である。
【図９】同上の器具本体への光源ユニットを取り付けた状態の要部を示す、一部破断した側面図である。
【図１０】同上の器具本体に光源ユニットを取り付けた状態の要部を示す、一部破断した側面図である。
【発明を実施するための形態】
【０００９】
以下、本実施形態に係る照明器具について図面を参照して説明する。なお、以下の実施形態で説明する構成は本発明の一例にすぎない。本発明は、以下の実施形態に限定されず、本発明に係る技術的思想を逸脱しない範囲であれば、設計等に応じて種々の変更が可能である。
【００１０】
本実施形態の照明器具は、図１に示すように、いわゆるシステム天井に埋込配設される照明器具であり、器具本体１、光源ユニット５、電源ユニット６を備える。
【００１１】
器具本体１は、図１及び図２Ａ〜図２Ｃに示すように、天板（ベース）２及び４つの側板３を有して下方に開放された矩形の箱形に形成される。天板２は、鋼板などの金属製の板材によって正方形状に形成されている。４つの側板３は、鋼板などの金属製の板材によって長方形状に形成され、天板２の四つの辺から下向きに起立するように構成される。すなわち、器具本体１は、鋼板などの金属製の板材が打ち抜かれて曲げ加工されることにより、下方に開放された、扁平かつ矩形の箱状に形成される。
【００１２】
また、器具本体１は、２つの仕切板４を備えることが好ましい。２つの仕切板４は、鋼板などの金属製の板材により、同一形状及び同一寸法の長方形状に形成される。２つの仕切板４は、対向する２つの側板３と平行し、かつ、天板２と４つの側板３で囲まれた空間（以下、器具本体１の内部空間と呼ぶ）を３等分するように天板２及び２つの側板３に固定される（図２Ａ及び図２Ｂ参照）。各仕切板４は、例えば、溶接などの適宜の方法で天板２及び２つの側板３に接合（固定）されることが好ましい。２つの仕切板４で３等分された内部空間のうち、中央の内部空間を除く２つの内部空間に、光源ユニット５がそれぞれ１台ずつ収容される（図１参照）。なお、中央の内部空間には、空調設備や防災設備などが収容される。以下の説明においては、光源ユニット５が収容される２つの内部空間を、それぞれ収容空間４０と呼ぶ（図１参照）。なお、各収容空間４０における天板２には、長円形の３つの孔２０が長手方向に沿って一列に並ぶように設けられている（図２Ａ参照）。また、器具本体１の表面には、例えば、白色の塗料からなる塗膜が形成される。
【００１３】
各収容空間４０には、第１取付具１０と第２取付具１１がそれぞれ設けられる。第１取付具１０は、図２Ａ及び図２Ｃに示すように、第１固定部１００と、第１縦板部１０１と、第１引掛部１０２とを有する。第１固定部１００は、長方形の１つの角部が矩形に切り
欠かれた形状に形成される（図２Ａ参照）。第１縦板部１０１は、長方形状であり、かつ、第１固定部１００の内側の端縁における長手方向の中央から下向きに突出するように形成される（図２Ｃ参照）。第１引掛部１０２は、長方形状であり、第１縦板部１０１の先端縁（下端縁）から第１固定部１００に平行、かつ、第１固定部１００から離れる向きに突出するように形成される（図２Ａ及び図２Ｃ参照）。ただし、２つの第１取付具１０は、互いに鏡像の関係にある。
【００１４】
第２取付具１１は、図２Ａ及び図２Ｃに示すように、第２固定部１１０と、第２縦板部１１１と、第２引掛部１１２とを有する。第２固定部１１０、第２縦板部１１１及び第２引掛部１１２は、第１固定部１００、第１縦板部１０１及び第１引掛部１０２とそれぞれ同一形状及び同一寸法に形成される（図２Ａ及び図２Ｃ参照）。つまり、２つの第２取付具１１は、互いに鏡像の関係にあり、かつ、同じ収容空間４０に設けられる第１取付具１０とも鏡像の関係にある（図２Ａ参照）。また、第１取付具１０及び第２取付具１１の表面にも、例えば、白色の塗料からなる塗膜が形成される。なお、第１取付具１０及び第２取付具１１は、いずれも側板３と一体に形成されることが好ましい（図８及び図１０参照）。
【００１５】
電源ユニット６は、図１に示すように、電源装置、電源装置を内部に収容する筐体６０、２つの端子台６１などを有する。電源装置は、例えば、整流回路とスイッチング電源回路を有し、商用の電力系統から一方の端子台６１を介して供給される交流電圧・交流電流を直流電圧・直流電流に変換するように構成されることが好ましい。また、電源装置は、他方の端子台６１を介して外部から与えられる調光信号に応じて、直流電圧・直流電流を増減するように構成されることが好ましい。さらに、電源装置は、２本の出力ケーブル６２を備える。各出力ケーブル６２の先端には、プラグコネクタ６３がそれぞれ電気的に接続されている。つまり、電源装置は、各出力ケーブル６２とプラグコネクタ６３を介して、２つの光源ユニット５とそれぞれ電気的に接続される。
【００１６】
筐体６０は、金属板によって扁平な矩形の箱状に形成される。また、筐体６０の長手方向の寸法は、器具本体１の幅寸法（対向する２つの側板３の間の距離）にほぼ等しい。筐体６０は、ねじ止めなどの適宜の方法で天板２に取り付けられる。なお、出力ケーブル６２は、天板２に設けられた孔２０を通して収容空間４０に引き込まれることが好ましい。
【００１７】
次に、図３、図４Ａ、図４Ｂ、図５及び図６を参照して、本実施形態における光源ユニット５を詳細に説明する。光源ユニット５は、ユニット本体５０、光源モジュール５１、カバー５２、ストッパ５３、第１基台５４、第２基台５５、第１取付金具５６及び第２取付金具５７などを備える。
【００１８】
ユニット本体５０は、例えば、鉄板などの板材により、角樋状の収容部５００と、一対のフランジ部５０１とが一体に形成されて構成される。フランジ部５０１は、収容部５００の長手方向に沿った両端から、収容部５００の底と平行し、かつ外向きに突出するように形成されることが好ましい（図４Ａ及び図４Ｂ参照）。そして、収容部５００の底に、光源モジュール５１が取り付けられる（図３参照）。なお、収容部５００の長手方向に沿った両端からは、フランジ部５０１と逆向き（内向き）に突出する突片がそれぞれ設けられる。
【００１９】
光源モジュール５１は、図３に示すように、実装基板５１０に複数個の固体発光素子５１１が実装されて構成される。実装基板５１０は、ユニット本体５０よりも幅が狭く、かつ長尺の長方形状に形成される。固体発光素子５１１は、例えば、白色発光ダイオードであり、実装基板５１０の表面（下面）における短手方向（幅方向）の中央に、長手方向に沿って等間隔に並ぶように実装されることが好ましい。ただし、固体発光素子５１１は、発光ダイオード以外の有機エレクトロルミネッセンス素子などであっても構わない。
【００２０】
カバー５２は、略半円筒形に形成され、長手方向に沿った両端から、平板状の突部が外向きに突出するように構成される（図４Ａ、図４Ｂ、図５及び図６参照）。カバー５２は、透光性を有する材料（例えば、ポリカーボネート樹脂等）によって形成されることが好ましい。カバー５２は、一対の突部がユニット本体５０の一対の突片の上に載せられるようにして、ユニット本体５０の収容部５００の下面側に取り付けられる。そして、収容部５００の長手方向の両端にそれぞれストッパ５３が取り付けられる。各ストッパ５３は、合成樹脂材料により、長手方向から見てＬ字状に形成される。各ストッパ５３は、ユニット本体５０の突片との間でカバー５２の突部を挟み込んで支持するように構成される（図３及び図５参照）。
【００２１】
第１基台５４は、第１台座部５４０、一対の第１側壁部５４１、一対の第１固定片５４２、第１後壁部５４３を有する（図４Ａ及び図４Ｂ参照）。第１台座部５４０は、矩形平板状に形成される。一対の第１側壁部５４１は、第１台座部５４０の隣り合わない２辺から下向きに突出するように形成される。一対の第１固定片５４２は、各第１側壁部５４１の先端から外向きに突出するように形成される。第１後壁部５４３は、第１台座部５４０の第１側壁部５４１に隣り合う１つの辺から下向きに突出するように形成される。なお、第１台座部５４０、一対の第１側壁部５４１、一対の第１固定片５４２及び第１後壁部５４３は、鋼板などの金属板が曲げ加工されることで一体に形成されることが好ましい。第１基台５４は、図４Ａ、図４Ｂ及び図５に示すように、ユニット本体５０の長手方向における一端部に取り付けられる。より詳細には、第１基台５４は、各第１固定片５４２がユニット本体５０の各フランジ部５０１にねじ止めされることにより、ユニット本体５０の上側に取り付けられる。
【００２２】
一方、第２基台５５は、第２台座部５５０、一対の第２側壁部５５１、一対の第２固定片５５２、第２後壁部５５３及び第２前壁部５５４を有する（図４Ａ及び図４Ｂ参照）。第２台座部５５０は、矩形平板状に形成される。一対の第２側壁部５５１は、第２台座部５５０の隣り合わない２辺から下向きに突出するように形成される。一対の第２固定片５５２は、各第２側壁部５５１の先端から外向きに突出するように形成される。第２後壁部５５３は、第２台座部５５０の第２側壁部５５１に隣り合う１つの辺から下向きに突出するように形成される。第２前壁部５５４は、第２台座部５５０の第２側壁部５５１に隣り合う残り１つの辺から上向きに突出するように形成される。なお、第２台座部５５０、一対の第２側壁部５５１、一対の第２固定片５５２、第２後壁部５５３及び第２前壁部５５４は、鋼板などの金属板が曲げ加工されることで一体に形成されることが好ましい。
【００２３】
ここで、第２前壁部５５４には、保持体５５５と、一対の位置決め片５５６とが一体に形成される（図６参照）。保持体５５５は、矩形平板状の保持片５５５０と、保持片５５５０の端部と第２前壁部５５４の先端とを繋ぐ連結片５５５１とを有する。保持片５５５０は、長手方向の寸法が第２前壁部５５４の長手方向の寸法よりも短く、かつ、第２台座部５５０と平行するように構成される。また、連結片５５５１は、長手方向から見て保持片５５５０から離れる向きに膨らむように湾曲している（図４Ｂ参照）。つまり、保持体５５５は、連結片５５５１が撓むことで保持片５５５０を上下方向に変位可能とするように構成されている。一対の位置決め片５５６は、短冊形に形成され、第２前壁部５５４の長手方向の両端から斜め上向きに突出するように構成される（図４Ｂ及び図６参照）。
【００２４】
第２基台５５は、図４Ａ、図４Ｂ及び図６に示すように、ユニット本体５０の長手方向における他端部に取り付けられる。より詳細には、第２基台５５は、各第２固定片５５２がユニット本体５０の各フランジ部５０１にねじ止めされることにより、ユニット本体５０の上側に取り付けられる。
【００２５】
ここで、第２台座部５５０の下面には、レセプタクルコネクタ５８が取り付けられる（図６参照）。レセプタクルコネクタ５８は、電線を介して、光源モジュール５１の実装基板５１０に形成されている導体と電気的に接続される。そして、レセプタクルコネクタ５８は、電源ユニット６のプラグコネクタ６３と挿抜可能に接続される。つまり、光源モジュール５１の各固体発光素子５１１は、レセプタクルコネクタ５８を介して電源ユニット６から供給される直流電圧・直流電流によって発光（点灯）する。なお、レセプタクルコネクタ５８が第２台座部５５０の下面に取り付けられることにより、レセプタクルコネクタ５８と電気的に接続される電線に、不用意に外力が加わることを避けることができる。
【００２６】
第１取付金具５６は、第１取付片５６０、第１縦片５６１、第１横片５６２及び第１引掛片５６３を有する。なお、第１取付片５６０、第１縦片５６１、第１横片５６２及び第１引掛片５６３は、金属製の板材が打ち抜き加工や曲げ加工されることで一体に形成されることが好ましい。第１取付片５６０は、矩形平板状に形成され、第１基台５４の第１台座部５４０の上面にねじ止めされて取り付けられる（図４Ａ及び図４Ｂ参照）。第１縦片５６１は、矩形平板状に形成され、第１取付片５６０の長手方向に沿った一方の端から上向きに起立するように構成される。第１横片５６２は、矩形平板状に形成され、第１縦片５６１の先端（上端）から第１取付片５６０と平行、かつ、第１取付片５６０と逆向きに突出するように構成される。
【００２７】
第１引掛片５６３は、図４Ｂ及び図５に示すように、第１横片５６２の先端から下向きに突出するように形成される。また、第１引掛片５６３は、長手方向における両端を除く部分が矩形に切り欠かれている。さらに、第１引掛片５６３の矩形の切欠部５６３０における長手方向の中央寄りの位置に、２つの突起５６４が設けられている（図５参照）。これら２つの突起５６４は、打ち抜き加工によって三角形状に形成される。また、各突起５６４の頂点（先端）は、切欠部５６３０の他の部位よりも鋭利に形成され、かつ、切欠部５６３０の先端（下端）よりも先（下）に突出している（図５参照）。
【００２８】
第２取付金具５７は、第２取付片５７０、第２縦片５７１、第２幅広片５７２及び第２引掛片５７３を有する。なお、第２取付片５７０、第２縦片５７１、第２幅広片５７２及び第２引掛片５７３は、金属製の板材が打ち抜き加工や曲げ加工されることで一体に形成されることが好ましい。第２取付片５７０は、矩形平板状に形成され、第２基台５５の第２台座部５５０の下面にねじ止めされて取り付けられる（図４Ａ及び図４Ｂ参照）。第２縦片５７１は、矩形平板状に形成され、第２取付片５７０の長手方向に沿った一方の端から上向きに起立するように構成される。第２幅広片５７２は、長手方向の寸法が第２縦片５７１よりも大きい矩形平板状に形成され、第２縦片５７１の先端から上向きに突出するように形成される（図６参照）。第２引掛片５７３は、第２縦片５７１の先端から斜め下向きに突出するように形成される（図４Ｂ参照）。なお、第２引掛片５７３の先端（下端）は、保持体５５５の保持片５５５０の上方に位置する。
【００２９】
次に、図７〜図１０を参照して、本実施形態の照明器具の施工手順、特に、器具本体１への光源ユニット５の取付手順について、詳細に説明する。
【００３０】
まず、施工作業を行う作業者は、電源ユニット６を取り付けた器具本体１をシステム天井に埋込配設する。ただし、システム天井への器具本体１の取付方法については、従来周知であるから詳細な説明を省略する。
【００３１】
続いて、作業者は、光源ユニット５の第１取付金具５６を器具本体１の第１取付具１０に取り付ける。最初に、作業者は、図７Ａ及び図８に示すように、第１引掛片５６３の切欠部５６３０の先端（突起５６４の頂点）を、第１取付具１０の第１引掛部１０２の上に載せるようにして引っ掛ける。そして、作業者は、第１引掛部１０２に引っ掛けた第１引掛片５６３を支点として、光源ユニット５を持ち上げるように回転させる。ここで、第１引掛部１０２と器具本体１の天板２との距離Ｄ１は、第１引掛片５６３の突起５６４の先端から第１横片５６２までの距離Ｈ１よりも短くなっている（図８参照）。したがって、作業者が光源ユニット５を上向きに回転させることにより、第１取付金具５６の第１横片５６２が天板２の下面に当たるので、第１引掛片５６３が第１引掛部１０２を下向きに撓ませながら第１取付具１０の第１縦板部１０１に近付いていく。このとき、第１引掛片５６３は、２つの突起５６４（の頂点）によって第１引掛部１０２の表面に形成されている塗膜を剥がしながら移動する。そして、塗膜が剥がされることにより、第１引掛部１０２の下地の金属と、第１引掛片５６３とが接触して電気的に導通する。つまり、本実施形態の照明器具では、光源ユニット５が器具本体１に取り付けられる過程で、光源ユニット５の金属部分（第１取付金具５６）と器具本体１の金属部分（第１取付具１０）とを自動的に導通させることができる。したがって、本実施形態の照明器具は、光源ユニット５の金属部分と器具本体１の金属部分とを電線で電気的に接続するような作業が不要となるので、作業性の向上を図ることができる。
【００３２】
さらに、作業者は、光源ユニット５を上向きに回転させて第２取付金具５７を器具本体１の第２取付具１１に取り付ける。つまり、第２取付金具５７の第２引掛片５７３は、光源ユニット５の上向きの回転に伴って、第２取付具１１の第２引掛部１１２の先端に押されて撓み、やがて、第２引掛部１１２の先端を乗り越えて第２引掛部１１２に引っ掛かる。このとき、第２基台５５の保持体５５５によって第２取付具１１の第２引掛部１１２が保持される。具体的には、図１０に示すように、第２引掛部１１２が、一対の位置決め片５５６によって水平方向に位置決めされ、かつ、第２引掛片５７３と保持片５５５０とに挟み込まれるようにして保持される。そして、第２取付金具５７が器具本体１の第２取付具１１に取り付けられると、撓められている第１引掛部１０２が元に戻ろうとする力で第１取付金具５６が第１引掛部１０２と天板２との間に挟み込まれるようにして保持される（図９参照）。以上のような手順で、作業者は、光源ユニット５を器具本体１に取り付けることができる。
【００３３】
一方、光源ユニット５を器具本体１から取り外す場合、作業者は、第２取付金具５７の第２引掛片５７３を手で動かして第２縦片５７１を撓ませることにより、第２引掛片５７３と第２引掛部１１２との引っ掛かりを解除する。さらに、作業者は、第２引掛片５７３と第２引掛部１１２との引っ掛かりを解除した状態で、光源ユニット５を下向きに回転させることによって、光源ユニット５を器具本体１から取り外すことができる。
【００３４】
上述のように本実施形態の照明器具は、器具本体１と、器具本体１に着脱可能に取り付けられる光源ユニット５とを備える。器具本体１は、金属板で構成されるベース（天板２）と、天板２に設けられる引掛部（第１引掛部１０２）及び保持部（第２取付具１１）とを有する。光源ユニット５は、金属製のユニット本体５０と、ユニット本体５０の一方の端部から突出する引掛片（第１引掛片５６３）と、ユニット本体５０の他方の端部に設けられて第２取付具１１に保持される保持体５５５とを有する。第１引掛部１０２は、金属製の下地材の表面に塗膜が形成され、かつ、第１引掛片５６３の先端が引っ掛けられるように構成される。第１引掛片５６３は、他の部位よりも鋭利な突起５６４が先端に設けられる。光源ユニット５は、第１引掛部１０２に接触する突起５６４の先端を支点として回転させられることにより、保持体５５５を第２取付具１１に保持させるように構成される。
【００３５】
本実施形態の照明器具は、上述のように構成され、光源ユニット５が回転することで第１引掛片５６３の突起５６４で第１引掛部１０２の表面の塗膜を削り取ることができる。そのため、本実施形態の照明器具は、光源ユニット５が器具本体１に取り付けられる過程で光源ユニット５と器具本体１の金属部分（第１取付具１０）とを自動的に導通させることができる。したがって、本実施形態の照明器具は、光源ユニット５の金属部分と器具本体１の金属部分とを電線で電気的に接続するような作業が不要となるので、作業性の向上を図ることができる。
【００３６】
また、本実施形態の照明器具において、突起５６４は、第１引掛片５６３を構成する金属板が打ち抜き加工されて構成されることが好ましい。
【００３７】
本実施形態の照明器具が上述のように構成されれば、第１引掛片５６３に突起５６４を容易に設けることができる。
【００３８】
さらに、本実施形態の照明器具において、第１引掛片５６３は、複数の突起５６４が先端に設けられることが好ましい。
【００３９】
本実施形態の照明器具が上述のように構成されれば、突起５６４が１つだけ設けられる場合と比較して、第１取付具１０に対する第１取付金具５６のがたつきを抑えることができる。
【符号の説明】
【００４０】
１  器具本体
２  天板（ベース）
５  光源ユニット
５０  ユニット本体
１１  第２取付具（保持部）
１０２  第１引掛部（引掛部）
５５５  保持体
５６３  第１引掛片（引掛片）
５６４  突起
【図１】
0006497620.tif 000002
【図２】
0006497620.tif 000003
【図３】
0006497620.tif 000004
【図４】
0006497620.tif 000005
【図５】
0006497620.tif 000006
【図６】
0006497620.tif 000007
【図７】
0006497620.tif 000008
【図８】
0006497620.tif 000009
【図９】
0006497620.tif 000010
【図１０】
0006497620.tif 000011